(57)【要約】      （修正有）【課題】指紋識別チップとタッチパネルを整合させることに拠って、製造コスト全体を大幅に下げ、更に指紋識別の精度を向上させる指紋識別機能を備えたタッチパネルを提供する。【解決手段】指紋識別機能を備えたタッチパネル１は、ガラス基板１１、電極層１２、第一絶縁層１３、第二絶縁層１４、指紋識別感知層１５を含む。ガラス基板は第一、二平面１１ａ、１１ｂを備え、電極層は第二平面に設置し、電極層は複数の第一、二電極１２１、１２２及び複数の金属配線１２３を備え、第一、二電極は複数の金属配線を選択して電気連接する。第一絶縁層は第一、二電極の交差箇所を被覆する。第二絶縁層は電極層を被覆する。指紋識別感知層は第二絶縁層上に設置し、複数の指紋識別チップ及び複数の伝送導線１５２を備え、複数の指紋識別チップは複数の伝送導線と電気連接する。【選択図】図１
0003196063.tif 000002
【実用新案登録請求の範囲】
【請求項１】
指紋識別機能を備えたタッチパネルにおいて、
第一平面及び第二平面を備えて該ガラス基板の上、下両側にそれぞれ設置し、更に該第一平面にタッチエリア及び非タッチエリアを位置づけ、該非タッチエリアは該タッチエリアに隣接するガラス基板と、
該ガラス基板の第二平面に設置し、複数の第一電極及び複数の第二電極及び複数の金属配線を備え、該第一、二電極は該複数の金属配線を選択して電気連接する電極層と、
前述の第一、二電極の交差箇所を被せる第一絶縁層と、
前述の電極層を被せる第二絶縁層と、
前述の第二絶縁層上に設置して複数の指紋識別チップ及び複数の伝送導線を備え、該複数の指紋識別チップは該複数の伝送導線と電気連接する指紋識別感知層を含むことを特徴とする指紋識別機能を備えたタッチパネル。
【請求項２】
前記複数の指紋識別チップは、感知エリアと最上面を備え、そのうち該感知エリアは該最上面に形成することを特徴とする請求項１記載の指紋識別機能を備えたタッチパネル。
【請求項３】
前記指紋識別機能を備えたタッチパネルは、更に遮蔽層を備え、該遮蔽層は、ガラス基板の該第二平面の非タッチエリアに設置し、該遮蔽層は該ガラス基板及び該金属配線の間に設置することを特徴とする請求項１記載の指紋識別機能を備えたタッチパネル。
【請求項４】
前記指紋識別機能を備えたタッチパネルは、更に保護層を備え、前述の指紋識別感知層を覆い、該保護層はエポキシ樹脂もしくはアクリル樹脂もしくはシリコンのうちの任意の一つであることを特徴とする請求項１記載の指紋識別機能を備えたタッチパネル。
【請求項５】
前記金属配線は、該非タッチエリアに設置することを特徴とする請求項１記載の指紋識別機能を備えたタッチパネル。
【請求項６】
前記指紋識別感知層は、更に複数の金属導線を備え、該金属導線は透明で該複数の指紋識別チップと隣接して設置することを特徴とする請求項１記載の指紋識別機能を備えたタッチパネル。
【請求項７】
前記非タッチエリアは、該タッチエリア外側に設置することを特徴とする請求項１記載の指紋識別機能を備えたタッチパネル。
【考案の詳細な説明】
【技術分野】
【０００１】
本考案は、指紋識別機能を備えたタッチパネルに関するもので、指紋識別チップをタッチパネル上の指紋識別機能を備えたタッチパネルに整合したもの係る。
【背景技術】
【０００２】
マルチメディア技術の発展に拠って、携帯電話、携帯情報端末(Personal Digital Assistant，PDA)、デジタルカメラ、ノートパソコン又はタブレット端末またはウエアラブル装置等、益々多くのスマート型携帯電子装置が人々の生活と結びついたツールとなっている。しかしながら、これ等の携帯式電子装置はパーソナル化の特徴が非常に強いため、これ等の携帯式電子装置を遺失もしくは盜用された場合、その内部の情報、例として電話帳、写真、資料等々は皆、他人に利用され、不必要な損失を蒙ることに成る。
【０００３】
拠って、これ等の製品には一定の身分認証及び許可管理が設置され、ユーザーのプライバシーの安全を確保している。現在採用されている身分認証の主な方法は、パスワード保護であり、ユーザーは先ず、正確なパスワードを携帯式電子装置に入力することで、装置の操作ページに入ることが出来る。しかしながら、パスワード保護の安全性は低い。その原因はパスワードが容易に盗まれたり、解析されたりするからである。更にユーザーがパスワードを忘れてしまった場合、それも非常に面倒である。そのため、指紋で識別する身分認証の携帯電子装置が市場に出るようになった。各人の指紋は異なるため、指紋が唯一の特徴となり、指紋を識別の身分認証に採用することが安全性を向上させる。更に、指紋識別の身分認証の方法は相対して便利であり、ユーザーがパスワードを記憶したり、入力したりする面倒を省く。
【先行技術文献】
【特許文献】
【０００４】
【特許文献１】特開２００１−２８７９０号公報
【考案の概要】
【考案が解決しようとする課題】
【０００５】
現行の指紋識別システムは、ウエアラブル装置もしくは携帯装置に広く応用されている。解決しようとする問題点として、最もよく見かける指紋識別装置の例のノートパソコンのキーボードは固定一側、もしくはウエアラブル携帯装置は裏側もしくは一端底側の固定位置に独立して設置する必要があり、更にウエアラブル携帯装置のタッチスクリーン上に有効に整合することができず、更にウエアラブル手持式行動装置の体積を小さくすることができない。公知の指紋識別チップパッケージングモジュールは主に基板、チップ及びポッティング体を含む。チップは基板上に設置し、且つ基板と電気連接し、ポッティング体は基板の表面及びチップ上で被覆する。
【０００６】
一般的に、指でチップの感知エリアをタッチする時、チップ外面には多層膜を被覆しているため、チップパッケージングモジュール全体の厚みが高くなり、チップパッケージングモジュールの感度が低くなる。
【０００７】
その他、公知のスリップ式指紋識別システムは方向性を備え、更に識別時間が長すぎ、且つ独立設置しなければならないので構造整合もしくは使用便利性どちらも良くない。
【課題を解決するための手段】
【０００８】
本考案は、ガラス基板、電極層、第一絶縁層、第二絶縁層、指紋識別感知層を含む。該ガラス基板は第一、二平面を備え、該電極層は該第二平面に設置し、該電極層は複数の第一、二電極及び複数の金属配線を備え、該第一、二電極は該複数の金属配線を選択して電気連接する。該第一絶縁層は前述の第一、二電極の交差箇所を被覆する。該第二絶縁層は前述の電極層を被覆する。該指紋識別感知層は該第二絶縁層上に設置し、複数の指紋識別チップ及び複数の伝送導線を備え、該複数の指紋識別チップは該複数の伝送導線と電気連接することを最も主要な特徴とする。
【考案の効果】
【０００９】
本考案の指紋識別機能を備えたタッチパネルは、指紋識別チップとタッチパネルを整合させることに拠って、製造コスト全体を大幅に下げ、更に指紋識別の精度を向上させるという利点がある。
【図面の簡単な説明】
【００１０】
【図１】本考案の指紋識別機能を備えたタッチパネルの第一実施例の立体分解図である。
【図２】本考案の指紋識別機能を備えたタッチパネルの第一実施例の組立断面図である。
【図３】本考案の指紋識別機能を備えたタッチパネルの第二実施例の組立断面図である。
【図４】本考案の指紋識別機能を備えたタッチパネルの第三実施例の組立断面図である。
【図５】本考案の指紋識別機能を備えたタッチパネルの第四実施例の指紋識別層の俯瞰図である。
【図６】図５の局部拡大図である。
【考案を実施するための形態】
【００１１】
上述の問題を有効に改善し、指紋識別チップとタッチパネルを整合して一体にする指紋識別機能を備えたタッチパネルを提供することを本考案の主な目的とする。
【００１２】
上述の目的を達成するため、本考案はガラス基板、電極層、第一絶縁層、第二絶縁層、指紋識別感知層を含む指紋識別機能を備えたタッチパネルを提供する。
【００１３】
該ガラス基板は、第一平面及び第二平面を備え、該第一平面にタッチエリア及び非タッチエリアを位置づけ、該非タッチエリアは該タッチエリアに隣接する。該電極層は、該ガラス基板の第二平面に設置し、該電極層は複数の第一電極及び複数の第二電極及び複数の金属配線を備え、該第一、二電極は該複数の金属配線を選択して電気連接する。該第一絶縁層は、前述の第一、二電極交差箇所に部分カバーする。該第二絶縁層は前述の電極層をカバーする。該指紋識別感知層は前述の第二絶縁層上に設置し、複数の指紋識別チップ及び複数の伝送導線を備える。該複数の指紋識別チップは該複数の伝送導線と電気連接する。該指紋識別チップをタッチパネル上で整合することに拠って、製造コストを節約するだけでなく、更にタッチの感度を高め、精度を向上させる。
【実施例１】
【００１４】
本考案の上述目的及びその構造と機能上的特性を、図式に基づき、実施例を挙げて説明する。
【００１５】
図１、２に示すのは、本考案の指紋識別機能を備えたタッチパネル第一実施例の立体分解及び組立断面図である。図に示すとおり、本考案の指紋識別機能を備えたタッチパネル１は、ガラス基板１１、電極層１２、第一絶縁層１３、第二絶縁層１４、指紋識別感知層１５を含む。
【００１６】
該ガラス基板１１は、第一平面１１ａ及び第二平面１１を備え、該第一平面１１ａにタッチエリア１１ｃ及び非タッチエリア１１ｄを位置づけ、該非タッチエリア１１ｄは該タッチエリア１１ｃに隣接し、該非タッチエリア１１ｄは該タッチエリア１１ｃ外側に設置し、該第一、二平面１１ａ、１１ｂは該ガラス基板１１上、下両側に分けて設置する。
【００１７】
該電極層１２は、該ガラス基板１１の第二平面１１ｂに設置し、該電極層１２は複数の第一電極１２１及び複数の第二電極１２２及び複数の金属配線１２３を備え、該第一、二電極１２１、１２２は該複数の金属配線１２３と電気連接することを選択する。該複数の金属配線１２３は該ガラス基板１１の第二平面１１ｄの非タッチエリア１１ｄに設置する。
【００１８】
該第一絶縁層１３は、前述の第一、二電極１２１、１２２の交差箇所を被覆し、該第一，二電極１２１、１２２を配線時、一部の区域を重畳して接触し、更に該第一絶縁層１３が該複数の第一、二電極１２１、１２２交差箇所を被覆し、そのうちの第一電極１２１もしくは第二電極１２２をスムーズに伸ばして配線する。
【００１９】
該第二絶縁層１４は、前述の電極層１２に被せ、前述の第一、二電極１２１、１２２及び第一絶縁層１３及び該複数の金属配線１２３を完全に被せて絶縁効果を確保する。
【００２０】
該指紋識別感知層１５は、前述の第二絶縁層１４上に設置し、複数の指紋識別チップ１５１及び複数の伝送導線１５２を備え、該複数の指紋識別チップ１５１は該複数の伝送導線１５２と電気連接する。該複数の指紋識別チップ１５１は、感知エリア１５１ａと最上面１５１ｂを備え、そのうち該感知エリア１５１ａは該最上面１５１ｂに形成する。
【００２１】
本考案は、主に指紋識別感知層１５中の複数の指紋識別チップ１５１と該電極層１２を該タッチエリア１１ｃで同じく整合し、精度向上と、製造コストの節約を達成する。
【実施例２】
【００２２】
図３は、本考案の指紋識別機能を備えたタッチパネルの第二実施例の組立断面図である。図に示すとおり、本実施例の部分構造の技術特徴は、前述の第一実施例と同じであるため、ここでは重ねて説明しない。本実施例と前述の第一実施例の違いは該指紋識別機能を備えたタッチパネル１に於いて、更に遮蔽層１６を備えることである。該遮蔽層１６は、ガラス基板１１の該第二平面１１ｄの非タッチエリア１１ｂに設置し、該遮蔽層１６は該ガラス基板１１及び該金属配線１２３の間に設置し、更に該遮蔽層１６によって複数の金属配線１２３を遮蔽して外部に露出するのを防止する。
【実施例３】
【００２３】
図４は本考案の指紋識別機能を備えたタッチパネルの第三実施例の組立断面図である。図に示すとおり、本実施例の部分構造の技術と特徴は前述の第一実施例と同じであるため、ここでは重ねて説明しない。本実施例と前述の第一実施例の違いは、該指紋識別機能を備えたタッチパネル１に更に保護層１７を備えることであり、前述の指紋識別感知層１５に被せ、更に該保護層１７はエポキシ樹脂もしくはアクリル樹脂もしくはシリコンのうちの一つとする。更に該保護層１７は指紋識別感知層１５裏側が外部に露出するのを防止する。 
【実施例４】
【００２４】
図５、６は、本考案の指紋識別機能を備えたタッチパネルの第四実施例の指紋識別層の俯瞰図及び局部拡大図である。図に示すとおり，本実施例の部分構造の技術特徴は前述の第一実施例と同じであるため、ここでは重ねて説明しない。本実施例と前述の第一実施例の違いは、該指紋識別感知層１５に更に複数の金属導線１５３を備えることである。該金属導線１５３は透明で、更に該複数の指紋識別チップ１５１と隣接して設置し、該金属導線１５３の設置によって、指紋識別チップ１５１が指紋識別を実施する識別率を向上させる。
【符号の説明】
【００２５】
１        指紋識別機能を備えたタッチパネル
１１        ガラス基板
１１ａ      第一平面
１１ｂ      第二平面
１１ｃ      タッチエリア
１１ｄ      非タッチエリア
１２        電極層
１２１        第一電極
１２２        第二電極
１２３        金属配線
１３        第一絶縁層
１４        第二絶縁層
１５        指紋識別感知層
１５１        指紋識別チップ
１５１ａ      感知エリア
１５１ｂ      最上面
１５２        伝送導線
１５３        金属導線
１６        遮蔽層
１７        保護層
【図１】
0003196063.tif 000003
【図２】
0003196063.tif 000004
【図３】
0003196063.tif 000005
【図４】
0003196063.tif 000006
【図５】
0003196063.tif 000007
【図６】
0003196063.tif 000008